(57)【要約】【課題】笠木と笠木とを笠木用接合部材によって接合する笠木の接合構造において、ビス留めなどのような二次的な固定を必要とせずに、施工の手間が簡略化され、施工精度に差が生じず、品質が確保され、また、安全性の高い笠木の接合構造を提供する。【解決手段】笠木２と笠木２との間に間隙９を設け、該間隙９に前記笠木用接合部材１を挿入することによって笠木同士を接合するような構造にし、該笠木用接合部材１は笠木の天部及び側部外周縁と略同形状に形成された頭部４と、該頭部４で包囲された空間内に設けた平板状の介挿部２０とで一体的に構成し、該頭部４を介挿部２０より厚くするとともに、該頭部４の外周面を曲面とし、該介挿部２０の下辺２０ａを断面視尖状とした。そして、前記頭部４と前記介挿部２０との間に形成された段差面２１に該頭部４側への傾斜をつけた。【選択図】　　　　図１
2004027771.tif 000002
【特許請求の範囲】
【請求項１】
笠木と笠木とを接合する笠木用接合部材において、笠木の天部及び側部外周縁と略同形状に形成された頭部と、該頭部で包囲された空間内に設けた平板状の介挿部とで一体的に構成し、該頭部を介挿部より厚くするとともに、頭部と介挿部との間に形成された段差面に頭部側への傾斜をつけたことを特徴とする笠木用接合部材。
【請求項２】
請求項１に記載の笠木用接合部材において、前記介挿部の下辺を断面視尖状としたことを特徴とする笠木用接合部材。
【発明の詳細な説明】
【０００１】
【発明の属する技術分野】
本発明は、階段の手摺などの笠木と笠木との間の接合部材の技術に関する。
【０００２】
【従来の技術】
従来、建物に設けられる手摺などの笠木同士の接合方法として、笠木と笠木との間隙に接合部材を設けて接続する技術や、現場での留め加工や突付施工の技術は公知となっている。
【０００３】
【発明が解決しようとする課題】
しかしながら、従来の接続部材が笠木と笠木の接続部全体を覆う構成であると構造が複雑となり、コストアップとなっていた。また、施工に手間がかかっていた。また、笠木と笠木の間に接合部材を挿入する構成であると、挿入時にスムースに挿入できる構成ではなく、手間がかかる構成となっていた。
また、施工する大工の腕によって現場ごとの精度が異なり、笠木同士の接合部に段差やずれが生じており、簡単に接続できる接合部材が求められていた。
ここにおいて、本発明は、前記従来の笠木の接合構造の問題点を解消するため、ビス止めなどのような二次的な固定を必要とせずに、現場での接合施工の手間が簡略化され、笠木同士の段差やずれも解消し、また、施工後も安全に手摺などを使用することのできる笠木の接合構造を提供する。
【０００４】
【課題を解決するための手段】
本発明の解決しようとする課題は以上の如くであり、次にこの課題を解決するための手段を説明する。
【０００５】
即ち、請求項１においては、笠木と笠木とを接合する笠木用接合部材において、笠木の天部及び側部外周縁と略同形状に形成された頭部と、該頭部で包囲された空間内に設けた平板状の介挿部とで一体的に構成し、該頭部を介挿部より厚くするとともに、頭部と介挿部との間に形成された段差面に頭部側への傾斜をつけたものである。
【０００６】
請求項２においては、請求項１に記載の笠木用接合部材において、前記介挿部の下辺を断面視尖状としたものである。
【０００７】
【発明の実施の形態】
次に、発明の実施の形態を説明する。
図１は本発明の笠木用接合部材を用いた水平部における笠木の接合構造を示した斜視図、図２は本発明の笠木用接合部材の正面図、図３は本発明の笠木用接合部材の断面図であり、（ａ）はＡ−Ａ断面図、（ｂ）はＢ−Ｂ断面図である。図４は本発明の笠木用接合部材を用いた水平部における笠木の接合構造を示した側面断面図、図５は本発明の笠木用接合部材を用いたコーナー部における笠木の配置例を示した斜視図、図６は本発明の笠木用接合部材を用いたコーナー部における笠木の別配置例を示した斜視図、図７は本発明の笠木用接合部材を用いた勾配部における笠木の配置例を示した斜視図、図８は本発明の笠木用接合部材を用いた勾配部における配置例であり、（ａ）は笠木同士のなす角度が段差面同士のなす角度より小さい場合の側面断面図、（ｂ）は笠木同士のなす角度が段差面同士のなす角度より大きい場合の側面断面図である。
【０００８】
これより、本発明の実施形態を図面に沿って説明する。
図１は本発明の笠木用接合部材１を用いた水平部における笠木の接合構造を示したものである。
本発明に係る笠木用接合部材１は階段手摺等に具備される笠木の構成部材の一つとして、笠木２・２間の接合のために使用される。笠木の施工時に、接合しようとする笠木２・２間に間隙９を形成し、該間隙９に接着剤を塗布した笠木用接合部材１を挿入することで、笠木２・２同士を外観良く接合しようとするものである。そして、笠木の施工を簡易として、均一な施工精度を維持しようとするものである。
【０００９】
図１乃至図３に示す如く、前記笠木用接合部材１は、笠木の天部及び側部外周縁と略同形状に形成された頭部４と、該頭部４で包囲された内側空間に設けられた平板状の介挿部２０とで一体的に構成されている。そして、頭部４は介挿部２０より厚く形成されて、頭部４と介挿部２０との間に段差面２１が形成されている。
【００１０】
前記頭部４は、笠木の外周端よりも突出して配設され、断面略扇形状に形成され、該頭部４の外表面は曲面で形成されて、尖った部分がないようにして、笠木に手を添えて階段の上り下りをする際に、引っ掛かることのないようにしている。なお、頭部４の断面形状は本実施例の断面略扇形状に限定されるものではなく、角部を丸くした断面角丸長方形状としたり、断面角丸三角形状としたりすることもできる。
そして、頭部４は笠木の断面形状に合わせて面取りされた門状としている。但し、頭部４の形状はこれに限定されるものではなく、笠木の形状に応じて変更することが好ましい。
【００１１】
また、前記介挿部２０は、笠木の断面形状に合わせて、本実施例においては略六角形としている。但し、介挿部２０の形状は笠木の形状に応じて変更することが好ましく、例えば断面半円状の笠木であれば介挿部２０の形状も半円状とするのが良い。
そして、前記介挿部２０の下辺２０ａは、その厚さ部分に傾斜が形成されて、下辺を断面視尖状となるように形成されている。これは、施工の際に笠木２・２間に介挿部２０を挿入するときに下辺２０ａが狭い間隔であっても容易に挿入でき、押し広げて挿入しやすいようにするためであるとともに、施工時には介挿部２０に接着剤を塗布した上で笠木２・２間に挿入するが、過剰に塗布された接着材の逃げ場を形成するためである。
【００１２】
前記段差面２１は、頭部４と介挿部２０の接続部分に設けられる面であり、笠木の天部及び側部外周縁への接面となる。段差面２１は、前記介挿部２０に対して略直角ではなく、段差面２１に傾斜をつけて段差面２１と介挿部２０とで鋭角を形成するようにされて、笠木用接合部材１の断面は傘状となっている。つまり、段差面２１は頭部側に傾く傾斜面としている。従って、段差面２１と笠木の外周縁との間には空間が形成されることになる。
【００１３】
通常笠木用接合部材は設置角度の異なる笠木同士の接合に用いられるが、上述の如く段差面２１に傾斜を設けることによって、笠木用接合部材１を接合しようとする両方の笠木に合わせることができる。
また、図４に示すように、前記笠木用接合部材１には接着剤が塗布されたうえで間隙９に挿入されるが、その際、余剰な接着剤８が、該笠木用接合部材１からはみ出て、笠木２の表面に出てこないように、段差面２１と笠木の外周縁とで形成される空間が接着剤溜りの役割を果たし、笠木用接合部材１の頭部４が余剰な接着剤を覆い隠す役目を果たし、外観的にも優れたものとすることができる。
【００１４】
なお、笠木用接合部材１の材質は、金属やプラスチックなどが好適に用いられ、外観上のアクセントとして使用したい場合は、装飾を施すなどすることにより、見栄えを向上させることができる。
また、なるべく目立たないようにしようとするなら、笠木と笠木用接合部材１との材質、木目、色目などを合わせたり、該笠木用接合部材１の頭部を可能な限り小さくしたりすると、より自然な外観となる。
このように、様々な用途に合わせ、笠木用接合部材１を用いることができ、より自由度の高い笠木の接合構造が可能となる。
つまり、本発明の意匠的な外観は、技術的範囲内であれば、上記実施例に限定されるものではない。
【００１５】
ここで、本発明の笠木用接合部材１を用いて接合可能な笠木同士のなす接合角度の範囲について説明する。
本発明の笠木用接合部材１が対応できる、笠木同士の勾配のなす角度θｂは、図８の（ａ）に示すように、該笠木用接合部材１の頭部４の段差面２１同士のなす角度θａよりも大きければよい。
つまり、予め想定できる笠木同士の接合角度θｂの最小よりも、前記段差面２１同士のなす角度θａを小さくする構造にしている。しかし、この条件は笠木同士を一つの笠木用接合部材１で接合する場合であり、笠木と笠木との間にコーナー笠木を介しても、施工上または外観上問題がなければ、この限りではない。
このような構造にすることにより、図８（ｂ）に示すような、笠木同士の接合角度θｂ’がθａよりも大きい場合でも前記笠木用接合部材１は対応できる。
【００１６】
コーナー部における笠木同士の接合について説明する。
図５はコーナー部において、略同一平面上に位置する笠木同士を接合する際の笠木用接合部材１の配置例である。
図５において、５はコーナー笠木であり、該コーナー笠木５は、略直角に交差する２個の笠木６及び７よりなるＬ型形状をしている。該コーナー笠木５に笠木６及び７がそれぞれ笠木用接合部材１を用いて接続されている。
この場合、笠木６及び７がなす角度が、該笠木用接合部材１を使用できる範囲（上述）外であるので、前記コーナー笠木５を介して、２個の該笠木用接合部材１を使用して接合している。
【００１７】
さらに、図６は笠木コーナー部において、略同一平面上に位置する笠木同士を接合する際の笠木用接合部材１の別配置例を示したものである。
ここでは、コーナー笠木を介さずに、交差する２個の笠木１０及び１１を直接笠木用接合部材１を用いて接合している。
該配置例では、２個の笠木１０及び１１の接合角度が、前記笠木用接合部材１を使用できる範囲内であるので、コーナー笠木を介することなく一個の笠木用接合部材１で接合することができる。
【００１８】
このような構造にすることにより、笠木同士の接合部の微妙なズレや、木目、色目の違いを目立たなくすることができる。
さらに、従来の留め加工などでは接合部の先端が鋭利な状態となって、安全面での問題があった。しかし、前記笠木用接合部材１の突出部の角部・接続部は曲面となっているので、笠木に手を添えて歩いたりするときに怪我などをしにくくなる。
【００１９】
また、本発明のような、笠木用接合部材１を用いた接合方法では、ビス留め加工のような二次的な固定を必要とせず、笠木用接合部材１で接合するだけなので、現場での施工の手間の簡略化が図れ、さらに現場における施工精度に差が生じないので、品質が確保されるという利点がある。
【００２０】
勾配部における笠木同士の接合について説明する。
図７は勾配部における笠木同士を接合する際の笠木用接合部材１の配置例である。
従来においては、水平な笠木と角度を持った笠木との接合及び、角度を持った笠木同士の接合においては、笠木の接合部を角度に合わせて曲加工を行ったり、それぞれの角度に応じた笠木用接合部材を用いるなど、施工性にばらつきが見られたり、コストや手間がかかるなどの問題があった。そして、接合に金具などを用いると、それを留めるためのビス頭が施工後の部材の表面に出るなどして、施工後の安全性や美観に問題があった。
【００２１】
しかし、本発明の笠木用接合部材１を用いた笠木の接合構造にすることにより、笠木同士の接合角度によらず、同じ笠木用接合部材１で接続できるので、施工手間が簡略化でき、シンプルかつ安全性の高い笠木の接合構造が実現できる。さらに、笠木同士の微妙な段差やズレも解消でき、品質の確保もできる。
なお、笠木１２及び１３の勾配が急であり、前記笠木用接合部材１を用いて接合できる範囲外である場合には、前記コーナー部における配置例と同様に、笠木１２及び１３の間に別の笠木（図示せず）を介することによって接合することができる。
【００２２】
【発明の効果】
本発明は、以上のように構成したので、以下に示すような効果を奏する。
【００２３】
即ち、請求項１に示す如く、笠木と笠木とを接合する笠木用接合部材において、笠木の天部及び側部外周縁と略同形状に形成された頭部と、該頭部で包囲された空間内に設けた平板状の介挿部とで一体的に構成し、該頭部を介挿部より厚くするとともに、頭部と介挿部との間に形成された段差面に頭部側への傾斜をつけたので、笠木の接合部を外観良く納めることができ、また、施工の手間が簡略化され、接合の精度や強度が施工者によらず一定になるので、品質の確保ができる。
【００２４】
請求項２に示す如く、請求項１に記載の笠木用接合部材において、前記介挿部の下辺を断面視尖状としたので、笠木間への笠木用接合部材の挿入を簡易として施工の手間が簡略化できる。
【図面の簡単な説明】
【図１】本発明の笠木用接合部材を用いた水平部における笠木の接合構造を示した斜視図。
【図２】本発明の笠木用接合部材の正面図。
【図３】本発明の笠木用接合部材の断面図であり、（ａ）はＡ−Ａ断面図、（ｂ）はＢ−Ｂ断面図である。
【図４】本発明の笠木用接合部材を用いた水平部における笠木の接合構造を示した側面断面図。
【図５】本発明の笠木用接合部材を用いたコーナー部における笠木の配置例を示した斜視図。
【図６】本発明の笠木用接合部材を用いたコーナー部における笠木の別配置例を示した斜視図。
【図７】本発明の笠木用接合部材を用いた勾配部における笠木の配置例を示した斜視図。
【図８】本発明の笠木用接合部材を用いた勾配部における配置例であり、（ａ）は笠木同士のなす角度が段差面同士のなす角度より小さい場合の側面断面図、（ｂ）は笠木同士のなす角度が段差面同士のなす角度より大きい場合の側面断面図である。
【符号の説明】
１　笠木用接合部材
２　笠木
４　頭部
２０　介挿部
２０ａ　下辺
２１　段差面
【図１】
2004027771.tif 000003
【図２】
2004027771.tif 000004
【図３】
2004027771.tif 000005
【図４】
2004027771.tif 000006
【図５】
2004027771.tif 000007
【図６】
2004027771.tif 000008
【図７】
2004027771.tif 000009
【図８】
2004027771.tif 000010